(57)【要約】【課題】電源ライン上に重畳するノイズを有効に減衰させ、コンピュータを含む電子機器の誤動作を防止する。【解決手段】複数の遊技台２と、遊技台２のそれぞれに接続された信号ラインＳｉｇと、遊技台のそれぞれに接続された電源ラインＰＷＬと、複数のノイズフィルタ６とを有する。各ノイズフィルタ６は、個々の遊技台２に対応して設けられ、電源ラインＰＷＬ上に重畳するノイズを減衰させる。また、各ノイズフィルタ６は、一の遊技台２に接続された電源ラインＰＷＬと信号ラインＳｉｇとが最も近接する近接箇所Ａよりも上流側の電源ラインＰＷＬ上に配置されている。【選択図】図２
2006034666.tif 000002
【特許請求の範囲】
【請求項１】
遊技島において、
複数の遊技台と、
前記遊技台のそれぞれに接続され、パルス状の信号を伝達する信号ラインと、
前記遊技台のそれぞれに接続され、前記遊技台に電源を供給するための電源ラインと、
前記遊技台のそれぞれに対応して設けられ、前記電源ライン上に重畳するノイズを減衰させる複数の第１のノイズフィルタとを有し、
前記第１のノイズフィルタのそれぞれは、一の前記遊技台に接続された前記電源ラインと前記信号ラインとが最も近接する近接箇所よりも上流側の前記電源ライン上に配置されていることを特徴とする遊技島。
【請求項２】
前記遊技台のそれぞれに内蔵され、前記電源ライン上に重畳するノイズを減衰させる複数の第２のノイズフィルタをさらに有し、
前記第２のノイズフィルタのそれぞれは、前記近接箇所よりも下流側の前記電源ライン系に設けられていることを特徴とする請求項１に記載された遊技島。
【請求項３】
前記遊技台のそれぞれに対応して、前記電源ライン上に設けられた複数の電源トランスをさらに有し、
前記第１のノイズフィルタのそれぞれは、前記一の遊技台に対応する前記電源トランスの一次側または二次側に接続されていることを特徴とする請求項１または２に記載された遊技島。
【請求項４】
前記複数の遊技台に共通して、前記電源ライン上に設けられた電源トランスをさらに有し、
前記第１のノイズフィルタのそれぞれは、前記電源トランスの二次側に接続されていることを特徴とする請求項１または２に記載された遊技島。
【請求項５】
前記第１のノイズフィルタのそれぞれは、前記電源トランスに直列に接続されていることを特徴とする請求項３または４に記載された遊技島。
【請求項６】
前記第１のノイズフィルタのそれぞれは、前記電源トランスに並列に接続されていることを特徴とする請求項３または４に記載された遊技島。
【発明の詳細な説明】
【技術分野】
【０００１】
本発明は、複数の遊技台を並べて構成される遊技島に係り、特に、個々の遊技台に接続される電源ラインのノイズ対策に関する。
【背景技術】
【０００２】
一般に、パチンコホールでは、パチンコ台またはスロットルマシンといった遊技台を複数並べることによって一つの島（グループ）が形成されており、このような遊技島が何列も設けられている。それぞれの遊技台には、これを電子制御するためのコンピュータが内蔵されているが、コンピュータに代表される電子機器は、ノイズ対策が施されていない電源に単独接続されていることが多い。そのため、電子機器は、電位的に常時不安定な状態にあり、侵入ノイズ、放射ノイズ、発生ノイズ、或いは静電気等に対して非常に弱く、誤動作を起こす可能性がある。
【発明の開示】
【発明が解決しようとする課題】
【０００３】
本発明の目的は、遊技島において、電源ライン上に重畳するノイズを有効に減衰させ、コンピュータを含む電子機器の誤動作を防止することである。
【課題を解決するための手段】
【０００４】
かかる課題を解決するために、本発明は、複数の遊技台と、遊技台のそれぞれに接続され、パルス状の信号を伝達する信号ラインと、遊技台のそれぞれに接続され、遊技台に電源を供給するための電源ラインと、複数の第１のノイズフィルタとを有する遊技島を提供する。それぞれの第１のノイズフィルタは、遊技台のそれぞれに対応して設けられ、電源ライン上に重畳するノイズを減衰させる。また、それぞれの第１のノイズフィルタは、一の遊技台に接続された電源ラインと信号ラインとが最も近接する近接箇所よりも上流側の電源ライン上に配置されている。
【０００５】
ここで、本発明において、遊技台のそれぞれに内蔵され、電源ライン上に重畳するノイズを減衰させる複数の第２のノイズフィルタをさらに設けてもよい。この場合、それぞれの第２のノイズフィルタは、近接箇所よりも下流側の電源ライン系に設けられていることが好ましい。
【０００６】
また、本発明において、遊技台のそれぞれに対応して、電源ライン上に設けられた複数の電源トランスをさらに設けてもよい。この場合、それぞれの第１のノイズフィルタは、一の遊技台に対応する電源トランスの一次側または二次側に接続されていることが好ましい。また、複数の遊技台に共通して、電源ライン上に設けられた電源トランスをさらに設けてもよい。この場合、それぞれの第１のノイズフィルタは、電源トランスの二次側に接続されていることが好ましい。
【０００７】
また、本発明において、第１のノイズフィルタのそれぞれは、ノイズ減衰特性を重視する場合には、電源トランスに直列に接続されていることが好ましく、ノイズ対策の作業性を重視する場合には、電源トランスに並列に接続されていることが好ましい。
【発明の効果】
【０００８】
本発明によれば、第１のノイズフィルタを遊技台単位で設けているため、電源ライン上に重畳したノイズを減衰させることが可能である。特に、第１のノイズフィルタは、電源ラインと信号ラインとの間で容量結合が生じ易い近接箇所よりも上流側の電源ライン上に配置されている。したがって、電源ライン上に重畳したノイズが近接箇所に到達する前に、第１のノイズフィルタによってノイズが減衰し、容量結合を介した信号ラインへのノイズ伝達も結果的に抑制される。これにより、電源ライン上のノイズおよび信号ライン上のノイズに起因した電子機器の誤動作を有効に防止でき、信頼性の高い遊技島を実現することが可能になる。
【発明を実施するための最良の形態】
【０００９】
（第１の実施形態）
図１は、第１の実施形態に係る遊技島の全体構成図である。パチンコホールには、複数の遊技島１が設けられている。単一の遊技島１は、パチンコ台やスロットルマシンといった遊技台２を複数並べてグループ化した構成になっている。遊技島１を構成する個々の遊技台２には、搬送レーン３，４を介してパチンコ玉や遊技メダルといった被搬送物が搬送・供給される。本実施形態では、一例として、遊技台２をパチンコ台とし、被搬送物をパチンコ玉として説明するが、遊技台をスロットルマシンとし、被搬送物を遊技メダルとした場合についても同様である。上流から搬送された多数のパチンコ玉は、メインレーン３を流れるとともに、その一部がメインレーン３より分岐したサブレーン４を流れて、それぞれの遊技台２に供給される。また、電源ラインＰＷＬ上には、個々の遊技台２に対応して、電源トランス５とノイズフィルタ６とが設けられている。
【００１０】
図２は、単一の遊技台２に関する回路系の説明図である。個々の遊技台２には、パルス状の信号を伝達する信号ラインＳｉｇと、遊技台２に電源を供給するための電源ラインＰＷＬとが接続されている。具体的には、遊技台２には、コンピュータ、その他の電子機器が実装されたプリント回路基板７が内蔵されており、このプリント回路基板７には、各種ラインＳｉｇ，ＰＷＬが多数接続されている。信号ラインＳｉｇは、実際には多数の信号線の束であり、個々の信号線を介して、遊技台２からの出力信号が図示しない外部システムへと伝達され、或いは、遊技台２への入力信号が外部システムから伝達される。
【００１１】
一方、遊技島１に共通の電源ラインＰＷＬには、個々の遊技台２に対応した個別の電源ラインＰＷＬが引き出されている。この引き出された電源ラインＰＷＬには、各種の装置５，６，７ａが設けられており、これらを経た電源がプリント回路基板７上に実装された電子機器に最終的に供給される。電源トランス５は、遊技台２とは別体で設けられており、一次側の交流電圧（例えばＡＣ１００Ｖ）を変圧して、変圧された電圧（例えばＡＣ２４Ｖ）を二次側に出力する。ただし、遊技台２がスロットルマシンの場合には、電源トランス５として、ＡＣ１００Ｖをその電圧値のまま二次側に出力する絶縁トランスと呼ばれる変圧器が用いられることもある。電源トランス５を遊技台単位で設ける理由は、遊技台２毎に電力供給を独立させて、これらの間における電力変動の影響を抑制することによって、遊技台２の動作安定性を向上させるためである。
【００１２】
電源トランス５の二次側に設けられたノイズフィルタ６は、遊技台２とは別体で設けられており、「近接箇所Ａ」よりも上流側の電源ラインＰＷＬ上に配置されている。ここで、「近接箇所Ａ」とは、単独の遊技台２に接続された電源ラインＰＷＬおよび信号ラインＳｉｇに関して、両ラインＰＷＬ，Ｓｉｇが最も近接する箇所をいう。一般に、パチンコホールでは、遊技島１を構成する個々の遊技台２が所狭しと並べられていることが多い。そのため、一つの遊技台２に関してでさえ、これに接続される各種ラインＰＷＬ，Ｓｉｇを引き回すための収納スペースを十分に確保するのが困難である。その結果、電源ラインＰＷＬおよび信号ラインＳｉｇを一束にまとめざるを得ない状況、これらを数ｃｍ程度の極短距離で密集させざるを得ない状況、或いは、これらを交差させざるを得ない状況を招き、これらが近接箇所Ａの発生原因となっている。ノイズフィルタ６を近接箇所Ａの上流側に配置する理由は、後述するように、近接箇所Ａにおける容量結合を介した信号ラインＳｉｇへのノイズの伝達を、電源ラインＰＷＬ上のノイズを減衰させることによって抑制するためである。
【００１３】
また、ノイズフィルタ７ａは、上述した装置５，６とは異なり、遊技台２に内蔵されており、具体的には、プリント回路基板７上に実装されている。このノイズフィルタ７ａは、近接箇所Ａよりも下流側の電源ライン系に設けられており、遊技台２の直前でノイズを再度減衰させることにより、遊技台２内へのノイズの侵入を阻止する。なお、本発明との関係でいえば、このノイズフィルタ７ａは、ノイズフィルタ６とは異なり、必ずしも設ける必要はない。
【００１４】
遊技台２とは別体で設けられるノイズフィルタ６は、電源トランス５に対して並列または直列に接続される。図３は、一例としての並列接続型のノイズフィルタ６の回路図である。このノイズフィルタ６は、第１のノイズ減衰部１２と、第２のノイズ減衰部１３と、第３のノイズ減衰部１４とを有する。これらのノイズ減衰部１２〜１４は、電源ラインＰＷＬを構成する２本の電源ラインＰＷＬ1，ＰＷＬ2に接続された２つの接続端子ＰＩＮ1，ＰＩＮ2の間において並列に設けられている。
【００１５】
第１のノイズ減衰部１２は、直列接続されたコンデンサＣ1およびインダクタＬ1，Ｌ2によって構成されている。具体的には、インダクタＬ1の一端は、一方の接続端子ＰＩＮ1に接続されており、その他端は、コンデンサＣ1の一端に接続されている。また、インダクタＬ2の一端は、他方のＰＩＮ2に接続されており、その他端は、コンデンサＣ1の他端に接続されている。このような構成を有する第１のノイズ減衰部１２によって、電源ラインＰＷＬ1，ＰＷＬ2上に重畳された高周波ノイズ成分、すなわち、高周波数帯域のノイズ成分が有効に減衰される。なお、第１のノイズ減衰部１２をコンデンサＣ1のみ、或いは、インダクタＬ1，Ｌ2のみで構成してもよい。
【００１６】
第２のノイズ減衰部１３は、直列接続されたサージアブソーバＺ1，Ｚ2によって構成されている。具体的には、サージアブソーバＺ1の一端は、一方の接続端子ＰＩＮ1に接続されており、サージアブソーバＺ2の一端は、他方の接続端子ＰＩＮ2に接続されている。そして、これらのサージアブソーバＺ1，Ｚ2の他端同士が接続されている。本実施形態において、それぞれのサージアブソーバＺ1，Ｚ2は、直列接続されたアレスタおよびバリスタによって構成されている。このような構成を有する第２のノイズ減衰部１３によって、電源ラインＰＷＬ1，ＰＷＬ2上に重畳された低周波ノイズ成分、すなわち、低周波数帯域のノイズ成分が有効に減衰される。なお、サージアブソーバＺ1，Ｚ2をアレスタのみ、或いは、バリスタのみで構成してもよい。なお、この点は、後述するサージアブソーバＺ3，Ｚ4についても同様であり、アレスタおよびバリスタの少なくとも一方で構成されていればよい。
【００１７】
第３のノイズ減衰部１４は、並列接続されたサージアブソーバＺ3，Ｚ4、コンデンサＣ3，Ｃ4およびインダクタＬ3〜Ｌ6を主体に構成されている。第３のノイズ減衰部１４は、同様の回路構成である２系統の回路系を有する。一方の回路系は、並列接続されたサージアブソーバＺ3、コンデンサＣ2およびインダクタＬ3，Ｌ4を主体とし、これに回路要素Ｒ1，Ｒ2，Ｄ1，Ｄ2，Ｆ1を付加した構成を有する。具体的には、インダクタＬ3の一端は、一方の端子ＰＩＮ1に接続され、その他端は、サージアブソーバＺ3の一端と、コンデンサＣ2の一端と、インダクタＬ4の一端とに共通接続されている。また、インダクタＬ4の他端は、抵抗Ｒ1の一端に接続されているが、この抵抗Ｒ1はなくてもよい。遊技台２を保護するために設けられたヒューズＦ1の一端は、サージアブソーバＺ3の他端と、コンデンサＣ2の他端と、抵抗Ｒ1の他端（抵抗Ｒ1を用いない場合には、インダクタＬ4の他端）とに共通接続され、その他端は、グランドにアースされている。なお、ダイオードＤ1、抵抗Ｒ2および発光ダイオードＤ2は、フューズが切れていない正常な状態をユーザに通知するために付加された回路であり、正常な状態において、発光ダイオードＤ2が発光する。
【００１８】
また、一方の回路系は、並列接続されたサージアブソーバＺ4、コンデンサＣ3およびインダクタＬ5，Ｌ6を主体とし、これに回路要素Ｒ3，Ｒ4，Ｄ3，Ｄ4，Ｆ2を付加した構成を有する。具体的には、インダクタＬ5の一端は、他方の端子ＰＩＮ2に接続され、その他端は、サージアブソーバＺ4の一端と、コンデンサＣ3の一端と、インダクタＬ6の一端とに共通接続されている。また、インダクタＬ6の他端は、抵抗Ｒ3の一端に接続されているが、この抵抗Ｒ3はなくてもよい。遊技台２を保護するために設けられたヒューズＦ2の一端は、サージアブソーバＺ4の他端と、コンデンサＣ3の他端と、抵抗Ｒ2の他端（抵抗Ｒ2を用いない場合には、インダクタＬ6の他端）とに共通接続され、その他端は、グランドにアースされている。なお、ダイオードＤ3、抵抗Ｒ4および発光ダイオードＤ4は、フューズが切れていない正常な状態をユーザに通知するために付加された回路であり、正常な状態において、発光ダイオードＤ4が発光する。
【００１９】
第３のノイズ減衰部１４は、電源ラインＰＷＬ1，ＰＷＬ2上の中間ノイズ成分を減衰させる。中間ノイズ成分は、上述した高周波ノイズ成分および低周波ノイズ成分以外の中間帯域のノイズ成分であり、第１のノイズ減衰部１２および第２のノイズ減衰部１３で除去し切れないノイズ成分である。
【００２０】
上述した構成を有するノイズフィルタ６によれば、並列に設けられた３つのノイズ減衰部１２〜１４によって、各種のノイズ（例えば、低周波ノイズ、高周波ノイズ、雷ノイズ）を広帯域にわたって減衰させることができる。その結果、遊技台２をノイズによる誤動作・破壊から有効に保護することができる。なお、並列接続でノイズフィルタ６を取り付ける場合には、電源ラインＰＷＬ1，ＰＷＬ2を切断することなく、これらから引き出し線を引き出すだけでよいので、ノイズ対策を施す際の作業性に優れているといった利点がある。
【００２１】
図４は、一例としての直列接続型のノイズフィルタ６の回路図である。このノイズフィルタ６は、４つの接続端子ＰＩＮ1〜ＰＩＮ4を有する。電源ラインＰＷＬ1系には、入力端子であるＰＩＮ1と、出力端子であるＰＩＮ3とが接続されており、電源ラインＰＷＬ2系には、入力端子であるＰＩＮ2と、出力端子であるＰＩＮ4とが接続されている。
【００２２】
サージアブソーバＺ1の一端は、入力端子ＰＩＮ1に接続されており、その他端は、入力端子ＰＩＮ2に接続されている。サージアブソーバＺ2の一端は、入力端子ＰＩＮ1に接続されており、サージアブソーバＺ3の一端は、入力端子ＰＩＮ2に接続されている。これらのサージアブソーバＺ2，Ｚ3の他端は、共通接続されている。また、コンデンサＣ1の一端は、入力端子ＰＩＮ1に接続されており、その他端は、入力端子ＰＩＮ2に接続されている。コンデンサＣ2の一端は、入力端子ＰＩＮ1に接続されており、コンデンサＣ3の一端は、入力端子ＰＩＮ2に接続されている。また、これらのコンデンサＣ2，Ｃ3の他端は、共通接続されている。
【００２３】
コモンモードチョークコイルＬ1の一端は、入力端子ＰＩＮ1に接続されており、コモンモードチョークコイルＬ2の一端は、入力端子ＰＩＮ2に接続されている。コンデンサＣ4の一端は、コモンモードチョークコイルＬ1の他端に接続されており、その他端は、コモンモードチョークコイルＬ2の他端に接続されている。抵抗Ｒ1の一端は、コモンモードチョークコイルＬ1の他端に接続されており、その他端は、コモンモードチョークコイルＬ2の他端に接続されている。また、ノーマルモードチョークコイルＬ3の一端は、コモンモードチョークコイルＬ1の他端、コンデンサＣ4の一端および抵抗Ｒ1の一端に共通接続されており、その他端は、出力端子ＰＩＮ3に接続されている。さらに、ノーマルモードチョークコイルＬ4の一端は、コモンモードチョークコイルＬ2の他端、コンデンサＣ4の他端および抵抗Ｒ1の他端に共通接続されており、その他端は、出力端子ＰＩＮ4に接続されている。
【００２４】
上述した一般的な構成を有するノイズフィルタ６によれば、直列接続の特性上、優れたノイズ減衰特性を得ることができるといった利点がある。
【００２５】
本実施形態によれば、遊技島１を構成する個々の遊技台２に対応して、電源ラインＰＷＬ上にノイズフィルタ６を設けている。このようなノイズフィルタ６の分散配置によって、電源ラインＰＷＬ上に重畳するノイズを、遊技島１の末端（すなわち遊技台２）に至るまで効果的に減衰させることができる。また、特に、本実施形態では、ノイズフィルタ６を近接箇所Ａよりも上流側の電源ラインＰＷＬ上に配置している。この近接箇所Ａは、電源ラインＰＷＬと信号ラインＳｉｇとが最も近接する箇所であり、両ラインＰＷＬ，Ｓｉｇの間に容量結合が生じている。そのため、何らかの理由で、電源ラインＰＷＬ上にノイズが重畳すると、このノイズが近接箇所Ａの容量結合を介して信号ラインＳｉｇに伝達されて、遊技台２の誤動作や破壊といった事態を招くおそれがある。このような事態は、近接箇所Ａの上流（電流が流れる方向を基準とした上流）側にノイズフィルタ６を配置することにより解消することができる。なぜなら、電源ラインＰＷＬ上にノイズが重畳した場合であっても、ノイズが近接箇所Ａに到達する前に、ノイズフィルタ６がノイズを減衰させるからである。すなわち、近接箇所Ａでの容量結合が存在する場合であっても、電源ラインＰＷＬ上のノイズが近接箇所Ａに到達する前に、ノイズフィルタ６によってノイズが減衰するので、結果的に、信号ラインＳｉｇへのノイズ伝達が抑制される。したがって、電源ラインＰＷＬ上のノイズのみならず、これに起因した信号ラインＳｉｇ上のノイズも抑制できるので、電子機器の誤動作や破壊を有効に防止することが可能になる。その結果、耐ノイズ性に優れた信頼性の高い遊技島を実現することが可能になる。本実施形態に係る遊技島１の構成は、パチンコホール等のように、ノイズ対策の必要性がますます重視されるであろう環境下において、極めて有効な対策の一つである。
【００２６】
なお、このような信号ラインＳｉｇへのノイズ伝達は、ノイズフィルタ６を近接箇所Ａの上流に設けることによって抑制可能なのであって、その下流に設けられたノイズフィルタ７ａでは、かかる効果を奏することができない点に留意されたい。
【００２７】
また、以上のようなノイズフィルタ６の作用に鑑みると、ノイズフィルタ６は、近接箇所Ａのなるべく近くに設けることが最も好ましい。しかしながら、各種ラインの収納スペースの制約等を考慮すると、最低限、共通の電源ラインＰＷＬから遊技台２毎に引き出された個別の電源ラインＰＷＬ上に設けられていれば、十分な効果が得られるであろう。
【００２８】
また、上述した実施形態では、電源トランス５の二次側にノイズフィルタ６を接続した構成について説明した。しかしながら、本発明は、これに限定されるものではなく、例えば図５に示すように、電源トランス５の一次側にノイズフィルタ６を接続してもよい。また、電源トランス５の一次側および二次側の双方にノイズフィルタ６をそれぞれ接続することも可能である。
【００２９】
また、上述した実施形態では、電源トランス５を遊技台２毎に個別に設けた構成について説明した。しかしながら、本発明は、これに限定されるものではなく、例えば図６に示すように、遊技島１全体に共通する単一の電源トランス５を電源ラインＰＷＬ上に設けた構成であっても、同様に適用可能である。この場合、遊技台２毎に設けられる各ノイズフィルタ６は、電源トランス５の二次側に接続されることになる。
【００３０】
さらに、上述した実施形態では、ノイズフィルタ６を遊技台２とは別体としているが、遊技台２自体に内蔵してもよい。ただし、遊技台２に内蔵させる場合には、電気通信保安協会の許認可が必要になる点に十分留意されたい。
【図面の簡単な説明】
【００３１】
【図１】本実施形態に係る遊技島の全体構成図
【図２】単一の遊技台に関する回路系の説明図
【図３】並列接続型のノイズフィルタの回路図
【図４】直列接続型のノイズフィルタの回路図
【図５】遊技島の他の一例を示す全体構成図
【図６】遊技島の他の一例を示す全体構成図
【符号の説明】
【００３２】
１  遊技島
２  遊技台
３  メインレーン
４  サブレーン
５  電源トランス
６  ノイズフィルタ
７  プリント回路基板
７ａ  ノイズフィルタ
ＰＷＬ  電源ライン
Ｓｉｇ  信号ライン
Ａ  近接箇所
【図１】
2006034666.tif 000003
【図２】
2006034666.tif 000004
【図３】
2006034666.tif 000005
【図４】
2006034666.tif 000006
【図５】
2006034666.tif 000007
【図６】
2006034666.tif 000008